(57)【要約】【課題】複数の発光素子を備えた単一の光源から出射された各レーザ光を受光する複数の受光素子を備えた単一の受光器の位置調整を容易に行うことのできる光ヘッド装置の製造方法、および光ヘッド装置を提供すること。【解決手段】光ヘッド装置１では、受光器４の第１および第２の受光素子４１、４２の位置を調整するにあたって、第２の受光素子４２が中心に位置するように受光器４を固定部材５に固定した後、固定部材５を面内方向に移動させて第２の受光素子４２の位置を合わせた後、この第２の受光素子４２を通る軸線Ｃ２周りに固定部材５を回転させて第１の受光素子４１の位置を調整する。【選択図】      図２
2004342186.tif 000002
【特許請求の範囲】
【請求項１】
第１のレーザ光を出射する第１の発光素子、および該第１の発光素子に隣接する位置で前記第１のレーザ光と波長の異なる第２のレーザ光を出射する第２の発光素子を備えた光源と、前記第１のレーザ光が前記光記録媒体で反射した第１の戻り光を受光する第１の受光素子、および前記第２のレーザ光が前記光記録媒体で反射した第２の戻り光を前記第１の受光素子に隣接する位置で受光する第２の受光素子を備えた受光器と、前記光源および前記受光器が搭載された装置フレームとを有する光ヘッド装置の製造方法において、
前記受光器の位置調整を行う工程では、前記第１の戻り光および前記第２の戻り光のうちの一方の戻り光の光軸と、前記第１の受光素子および前記第２の受光素子のうち、前記一方の戻り光を受光する一方の受光素子との位置を合わせ、この状態で、当該一方の受光素子を通る軸線周りに前記受光器を回転させて他方の戻り光の光軸に他方の受光素子の位置を合わせることを特徴とする光ヘッド装置の製造方法。
【請求項２】
請求項１において、
前記受光器は、該受光器よりも外形寸法の大きな固定部材に固定された状態で前記装置フレームに搭載されており、
前記固定部材は、光軸側からみたときの外形の中心が前記一方の受光素子の位置と一致する回転中心位置規定部を備え、
前記受光器の位置調整を行う工程では、前記回転中心位置規定部で前記固定部材を保持して当該一方の受光素子を通る軸線周りに前記受光器を回転させることを特徴とする光ヘッド装置の製造方法。
【請求項３】
第１のレーザ光を出射する第１の発光素子、および該第１の発光素子に隣接する位置で前記第１のレーザ光と波長の異なる第２のレーザ光を出射する第２の発光素子を備えた光源と、前記第１のレーザ光が前記光記録媒体で反射した第１の戻り光を受光する第１の受光素子、および前記第２のレーザ光が前記光記録媒体で反射した第２の戻り光を前記第１の受光素子に隣接する位置で受光する第２の受光素子を備えた受光器と、前記光源および前記受光器が搭載された装置フレームとを有する光ヘッド装置において、
前記受光器に対しては、該受光器を光軸周りに回転させるときの回転中心軸線を前記第１の受光素子および前記第２の受光素子のうちのいずれか一方の受光素子を通る位置に規定する回転中心位置規定手段が構成されていることを特徴とする光ヘッド装置。
【請求項４】
請求項３において、
前記受光器は、該受光器よりも外形寸法の大きな固定部材に固定された状態で前記装置フレームに搭載されており、
前記固定部材は、光軸側からみたときの外形の中心が前記一方の受光素子の位置と一致する部分を前記回転中心位置規定手段として備えていることを特徴とする光ヘッド装置。
【請求項５】
請求項４において、
前記固定部材は、光軸方向からみたときに、矩形の４つの角を切除した形状、あるいは円形の外形を有していることを特徴とする光ヘッド装置。
【請求項６】
請求項３ないし５のいずれかにおいて、
前記第２のレーザ光は、前記第１のレーザ光よりも波長が短く、
前記受光器を光軸周りに回転させるときの回転中心軸線は、前記第２の受光素子を通っていることを特徴とする光ヘッド装置。
【請求項７】
請求項３ないし５のいずれかにおいて、
前記第１のレーザ光は、メインビームと、該メインビームの両側のサブビームとに分割されている一方、前記第１の受光素子は、前記メインビームを検出するためのメイン受光領域と、該メイン受光領域の両側位置で前記サブビームを検出するサブ受光領域とを備え、
前記受光器を光軸周りに回転させるときの回転中心軸線は、前記メイン受光領域を通っていることを特徴とする光ヘッド装置。
【発明の詳細な説明】
【０００１】
【発明の属する技術分野】
本発明は、複数の発光素子を備えた単一の光源と、複数の受光素子を備えた単一の受光器とによって、ＣＤ（コンパクトディスク）やＤＶＤ（デジタルバーサタイルディスク）などの光記録媒体の情報再生、記録を行う光ヘッド装置に関するものである。
【０００２】
【従来の技術】
光ヘッド装置では、光源から出射したレーザ光をＣＤやＤＶＤなどの光記録媒体に対物レンズを介して収束させ、光記録媒体で反射した戻り光を受光器で受光することにより、光記録媒体の情報再生、記録を行っている。
【０００３】
ここで、光記録媒体で反射した戻り光を受光器で正確に受光するには、受光器を装置フレームに搭載する際に位置を調整する必要がある。そこで、受光器を装置フレームの取付け面上でＸ方向、Ｙ方向に動かして位置調整している（例えば、特許文献１参照）。また、受光器を戻り光の光軸方向（Ｚ方向）に位置調整している（例えば、特許文献２参照）。
【０００４】
また、ＣＤの再生およびＤＶＤの再生の双方が可能な光ヘッド装置では、ＣＤ再生用とＤＶＤ再生用で異なる２つの波長のレーザ光を出射する単一のレーザ光源を用いて、光記録媒体からの複数の戻り光も単一の受光器で受光するタイプのものがある。
【０００５】
このような光ヘッド装置は、例えば、図６（Ａ）に示すように、第１のレーザ光Ｌ１を出射する第１のレーザダイオードチップ１０１と第２のレーザ光Ｌ２を出射する第２のレーザダイオードチップ１０２とが一つのパッケージ内に隣接して納められた２波長レーザ光源１０３と、受光器１０４と、第１のレーザ光Ｌ１および第２のレーザ光Ｌ２を光記録媒体１０５に導くとともに、第１および第２のレーザ光Ｌ１、Ｌ２が光記録媒体で反射した第１および第２の戻り光ＬＲ１、ＬＲ２を受光器１０４に導く共通の光学系１０６とを有している。共通の光学系１０６は、第１のレーザ光Ｌ１を３ビームに回折し、第２のレーザ光Ｌ２を透過する回折格子１０７と、第１および第２のレーザ光Ｌ１、Ｌ２を光記録媒体１０５に向けて反射するハーフミラー１０８と、ハーフミラー１０８で反射した第１および第２のレーザ光Ｌ１、Ｌ２を平行光にするコリメートレンズ１０９と、コリメートレンズ１０９で平行光となった第１および第２のレーザ光Ｌ１、Ｌ２を光記録媒体１０５に収束させる対物レンズ１１０とを備えている。また、共通の光学系１０６は、第１のレーザ光および第２のレーザ光が光記録媒体１０５で反射した第１および第２の戻り光ＬＲ１、ＬＲ２を、対物レンズ１１０、コリメートレンズ１０９、ハーフミラー１０８を介して受光器１０４に導くようになっている。
【０００６】
ここで、第１および第２のレーザダイオードチップ１０１、１０２は、所定の間隔をあけて配置されているので、第１および第２の戻り光ＬＲ１、ＬＲ２も所定の間隔をあけて受光器１０４に導かれる。このため、受光器１０４では、第１および第２の戻り光ＬＲ１、ＬＲ２を受光するための第１および第２の受光素子１４１、１４２が所定の間隔をあけて配置されている。なお、第１の受光素子１４１は、トラッキングエラー補正を行うために第１の戻り光ＬＲ１が３ビームに分割されているので、図６（Ｂ）に示すように、３つの受光領域１４１ａ、１４１ｂ、１４１ｃを備えている。
【０００７】
このような受光器１０４についても、受光器１０４を装置フレームに搭載する際には、受光器１０４をＸ方向およびＹ方向、さらにはＺ方向に位置調整して、第１および第２の戻り光ＬＲ１、ＬＲ２を第１および第２の受光素子１４１、１４２で正確に受光できるようにしている。
【０００８】
【特許文献１】
特開平７−２４００３５号公報（第３−５頁、図１）
【特許文献２】
特公平５−５５９３２号公報（第２−３頁、図１）
【０００９】
【発明が解決しようとする課題】
ここで、２波長レーザ光源１０３は、例えば、図６（Ｃ）に示すように、外装の相対向する位置に形成されている一対の取付け基準Ｓを用いて装置フレームに取り付けられる。しかしながら、２波長レーザ光源１０３において第１および第２のレーザダイオードチップ１０１、１０２の角度位置が取付け基準Ｓから斜めにずれているような場合や、ハーフミラー１０８の位置決め精度が悪い場合には、受光器１０４に受光される戻り光ＬＲ１、ＬＲ２の位置も斜めにずれてしまい、このような傾きは、受光器１０４を２軸方向（Ｘ方向およびＹ方向）、および光軸方向（Ｚ方向）に移動させるだけでは解消することができない。そこで、受光器１０４を光軸周りに回転させて傾き（角度位置のずれ）を解消しようとすると、折角、調整した受光素子１４１、１４２の位置がずれてしまうことになる。
【００１０】
そこで、従来は、受光器１０４とハーフミラー１０８の間に、戻り光ＬＲ１、ＬＲ２の傾きを補正するために回折格子１１１が配置されているが、このような対策を採用した場合には、回折格子１１１の位置調整にかなりの手間がかかるとともに、部品点数が増える分、コストが嵩むという問題点がある。
【００１１】
以上の問題点に鑑みて、本発明の課題は、複数の発光素子を備えた単一の光源から出射された各レーザ光を受光する複数の受光素子を備えた単一の受光器の傾き調整を容易に行うことのできる光ヘッド装置の製造方法、および光ヘッド装置を提供することにある。
【００１２】
【課題を解決するための手段】
上記の課題を解決するために、本発明では、第１のレーザ光を出射する第１の発光素子、および該第１の発光素子に隣接する位置で前記第１のレーザ光と波長の異なる第２のレーザ光を出射する第２の発光素子を備えた光源と、前記第１のレーザ光が前記光記録媒体で反射した第１の戻り光を受光する第１の受光素子、および前記第２のレーザ光が前記光記録媒体で反射した第２の戻り光を前記第１の受光素子に隣接する位置で受光する第２の受光素子を備えた受光器と、前記光源および前記受光器が搭載された装置フレームとを有する光ヘッド装置の製造方法において、前記受光器の位置調整を行う工程では、前記第１の戻り光および前記第２の戻り光のうちの一方の戻り光の光軸と、前記第１の受光素子および前記第２の受光素子のうち、前記一方の戻り光を受光する一方の受光素子との位置を合わせ、この状態で、当該一方の受光素子を通る軸線周りに前記受光器を回転させて他方の戻り光の光軸に他方の受光素子の位置を合わせることを特徴とする。
【００１３】
本発明では、一方の戻り光の光軸と一方の受光素子との位置を合わせた状態で、一方の受光素子を通る軸線周りに受光器を回転させて他方の戻り光の光軸に他方の受光素子の位置を合わせるので、２つの戻り光の角度位置に合わせて２つの受光素子の角度位置（傾き）を調整することができ、回折格子を用いて傾きを補正する必要がない。それ故、手間のかかる回折格子の調整作業を省略できるとともに、部品点数を削減できる。また、一方の戻り光の光軸に一方の受光素子の位置を合わせた状態で一方の受光素子を通る軸線周りに受光器を回転させるので、受光器を回転させた際、折角、位置調整を行った一方の戻り光の光軸に対する一方の受光素子の位置がずれることがない。それ故、２つの戻り光の傾きに合わせて２つの受光素子の角度位置を容易に調整することができる。
【００１４】
本発明において、前記受光器は、該受光器よりも外形寸法の大きな固定部材に固定された状態で前記装置フレームに搭載されており、前記固定部材は、光軸側からみたときの外形の中心が前記一方の受光素子の位置と一致する回転中心位置規定部を備え、前記受光器の位置調整を行う工程では、前記回転中心位置規定部で前記固定部材を保持して当該一方の受光素子を通る軸線周りに前記受光器を回転させることが好ましい。このように構成すると、小さな受光器を保持しなくても、大きな固定部材を保持して回転させることができるので、角度位置の調整を容易に行うことができる。また、固定部材は、外形の中心が一方の受光素子の位置と一致する回転中心位置規定部を備えているので、この回転中心位置規定部で固定部材を治具などで保持した状態で固定部材を回転させるだけで、一方の受光素子を通る軸線周りに受光器を回転させることができる。従って、２つの戻り光の傾きに合わせて２つの受光素子の角度位置を容易に調整することができる。
【００１５】
本発明において、第１のレーザ光を出射する第１の発光素子、および該第１の発光素子に隣接する位置で前記第１のレーザ光と波長の異なる第２のレーザ光を出射する第２の発光素子を備えた光源と、前記第１のレーザ光が前記光記録媒体で反射した第１の戻り光を受光する第１の受光素子、および前記第２のレーザ光が前記光記録媒体で反射した第２の戻り光を前記第１の受光素子に隣接する位置で受光する第２の受光素子を備えた受光器と、前記光源および前記受光器が搭載された装置フレームとを有する光ヘッド装置において、前記受光器に対しては、該受光器を光軸周りに回転させるときの回転中心軸線を前記第１の受光素子および前記第２の受光素子のうちのいずれか一方の受光素子を通る位置に規定する回転中心位置規定手段が構成されていることを特徴とする。
【００１６】
例えば、前記受光器は、該受光器よりも外形寸法の大きな固定部材に固定された状態で前記装置フレームに搭載されており、前記固定部材は、光軸側からみたときの外形の中心が前記一方の受光素子の位置と一致する部分を前記回転中心位置規定手段として備えていることが好ましい。
【００１７】
本発明において、前記固定部材は、光軸方向からみたときに、矩形の４つの角を切除した形状、あるいは円形の外形を有していることが好ましい。このように構成すると、固定部材に対する外接円が小さくなるので、固定部材を回転させるのに必要な領域が狭くて済む。それ故、固定部材を回転させる作業を容易に行うことができ、かつ、固定部材を広い角度範囲にわたって回転させることができる。
【００１８】
本発明において、前記第２のレーザ光は、前記第１のレーザ光よりも波長が短く、前記受光器を光軸周りに回転させるときの回転中心軸線は、前記第２の受光素子を通っていることが好ましい。波長の短い第２のレーザ光は、記録密度の高い光記録媒体の情報記録、再生を行うのに用いられるため、その分、第２の受光素子には高い位置精度が求められる。従って、第２の受光素子を優先して位置決めすれば、高い位置精度を得ることができるので、記録密度の高い光記録媒体の情報記録、再生を正確に行うことができる。
【００１９】
本発明において、前記第１のレーザ光は、メインビームと、該メインビームの両側のサブビームとに分割されている一方、前記第１の受光素子は、前記メインビームを検出するためのメイン受光領域と、該メイン受光領域の両側位置で前記サブビームを検出するサブ受光領域とを備えている場合がある、この場合、前記受光器を光軸周りに回転させるときの回転中心軸線は、前記メイン受光領域を通っていることが好ましい。サブビームは、メインビームに対して対称に配置されているので、メイン受光領域を通るように受光器の回転中心軸線を規定しておけば、サブビームの光軸にサブ受光領域の位置を合わせることができる。
【００２０】
【発明の実施の形態】
以下に、図面を参照して、本発明を適用した光ヘッド装置および光ヘッド装置の製造方法を説明する。
【００２１】
［実施の形態１］
（全体構成）
図１は、本発明が適用される光ヘッド装置の光学系を示す概略構成図である。
【００２２】
図１に示すように、本例の光ヘッド装置１は、ＣＤやＤＶＤなど、基板厚さや記録密度が異なる複数種類の光記録媒体６に対して情報の再生、記録を行うものである。この光ヘッド装置１では、波長が７８０ｎｍのＣＤ再生用の第１のレーザ光Ｌ１を出射する第１のレーザダイオードチップ２１と、波長が６５０ｎｍのＤＶＤ再生用の第２のレーザ光Ｌ２を出射する第２のレーザダイオードチップ２２とが共通パッケージに隣接して収納された２波長レーザ光源２（単一の光源）が用いられている。この２波長レーザ光源２では、第１のレーザダイオードチップ２１と第２のレーザダイオードチップ２２の発光点位置が所定の間隔だけ離れている。２波長レーザ光源２、共通の光学系３、および共通の光学系３を構成する光学部品は、不図示の装置フレーム上に搭載されている。
【００２３】
共通の光学系３には、２波長レーザ光源２から出射された第１および第２のレーザ光Ｌ１、Ｌ２のうち、第１のレーザ光Ｌ１を３ビームに回折し、第２のレーザ光Ｌ２を透過する回折格子３１と、この回折格子３１からの第１および第２のレーザ光Ｌ２を反射するハーフミラ３２と、ハーフミラー３２からのレーザ光を平行光にするコリメートレンズ３３と、平行光を光記録媒体６の記録面に収束させる対物レンズ３４とが含まれている。
【００２４】
また、共通光学系３には、光記録媒体６の記録面で反射された後に、ハーフミラー３２を通過した第１および第２のレーザ光Ｌ１、Ｌ２の戻り光ＬＲ１、ＬＲ２を受光するための第１および第２の受光素子４１、４２を備えた共通の受光器４とが含まれている。
【００２５】
（受光器の装置フレームへの搭載構造）
図２は、図１に示す光ヘッド装置１において受光器４の位置調整作業を示す説明図である。図３は、図２に示す受光器４の第１および第２の受光素子４１、４２を示す説明図である。
【００２６】
図２に示すように、受光器４は、固定部材５に搭載された状態で装置フレーム６の取付け面６１に配置されている。固定部材５は、受光器４より大きい矩形の基板であり、後述するように、装置フレーム６の取付け面６１に対して、Ｘ方向およびＹ方向の位置調整と、取付け面６１に垂直なＺ方向（光軸方向）の位置調整と、その角度位置が調整された後、装置フレーム６の取り付け面６１に固定されている。
【００２７】
受光器４は、第１の戻り光ＬＲ１を受光する第１の受光素子４１と、第２の戻り光ＬＲ２を受光する第２の受光素子４２と、第１および第２の受光素子４１、４２が表面に形成された矩形の素子基板４３とを備えている。
【００２８】
図３も参照すると、第１の受光素子４１は、第１の戻り光ＬＲ１の３ビームを検出するため、メイン受光領域４１１と、メイン受光領域４１１の両側にサブ受光領域４１２、４１３を備えている。メイン受光領域４１１は、信号検出を行うための受光領域では、受光面が４分割されている。第２の受光素子４２も受光面が４分割されており、第１の受光素子４１のメイン受光領域４１１に隣接する領域に形成されている。ここで、第２の受光素子４２と、第１の受光素子４１のメイン受光領域４１１との間隔Ｄは、第１のレーザダイオードチップ２１と第２のレーザダイオードチップ２２の発光点位置の間隔と概略一致している。また、第１の受光素子４１および第２の受光素子４２は、半導体プロセスを利用して形成されたフォトダイオードからなり、各受光領域は、高い位置精度をもって形成されている。
【００２９】
このように構成した受光器４は、固定部材５の中心と第２の受光素子４２の中心位置とが一致するように固定部材５に固定されている。このため、固定部材５は、光軸側からみたときの外形の中心が第２の受光素子４２の中心位置と一致する対向辺５０１、５０２（回転中心位置規定部／回転中心位置規定手段）を備えており、この対向辺５０１、５０２は、第２の受光素子４２の中心位置に対して対称である。このため、固定部材５を治具９１、９２によって保持し、この状態で、矢印Ｒで示すように、治具９１、９２をその中心で回転すると、固定部材５および受光器４は、第２の受光素子４２の中心を通る軸線Ｃ２周りに回転することになる。
【００３０】
なお、本形態では、固定部材５の外周を構成する長辺および短辺のうち、短辺に相当する対向辺を回転中心位置規定部としたが、長辺の中央部分や対角部分を回転中心位置規定部としてもよい。すなわち、固定部材５を治具によって長辺の中央部分や対角部分で挟むようにして固定部材５を保持した場合も、治具の中心で回転すれば、固定部材５および受光器４は、第２の受光素子４２の中心を通る軸線Ｃ２周りに回転することになる。
【００３１】
（受光器４の調整方法）
このような構成の光ヘッド装置１の製造方法において、装置フレーム６に対して受光器４を搭載する際には、まず、固定部材５の対向辺５０１、５０２を両側から治具９１、９２で挟むようにして受光器４を保持し、この状態で、治具９１、９２で受光器４をＸ方向、Ｙ方向およびＺ方向に移動させて、第２の戻り光ＬＲ２の光軸と第２の受光素子４２の受光面の中心位置とを一致させる。
【００３２】
次に、固定部材５の対向辺５０１、５０２を両側から治具９１、９２で保持した状態で、治具９１、９２を回転させると、固定部材５は、矢印Ｒで示すように、第２の受光素子４２の中心を通る軸線Ｃ２周りに回転するので、第１の戻り光ＬＲ１の光軸と、第１の受光素子４１のメイン受光領域４１１の中心位置とを一致させることができる。
【００３３】
このようにして受光器４の位置や傾きを調整した後、固定部材５を装置フレーム６に接着固定する。
【００３４】
（本形態の効果）
このように、本形態の光ヘッド装置１およびその製造方法では、第２の戻り光ＬＲ２の光軸と第２の受光素子４２の中心位置とを一致させた状態で、第２の受光素子４２の中心を通る軸線Ｃ２周りに回転させて、第１の戻り光ＬＲ１の光軸と、第１の受光素子４１のメイン受光領域４１１の中心位置とを一致させる。従って、２つの戻り光ＬＲ１、ＬＲ２の傾き（角度位置）に合わせて２つの受光素子４１、４２の角度位置を調整することができ、回折格子を用いて傾きを補正する必要がない。また、第２の戻り光ＬＲ２の光軸に第２の受光素子４２の位置を合わせた状態で第２の受光素子４２の中心を通る軸線周りに受光器４を回転させて第１の戻り光ＬＲ１の光軸に第１の受光素子４１の位置を合わせるので、受光器４を回転させる際、折角、位置調整を済ませておいた第２の受光素子４２の光軸と第２の受光素子４２との位置がずれることもない。それ故、２つの戻り光ＬＲ１、ＬＲ２の傾きに合わせて２つの受光素子４１、４２の角度位置を容易に調整することができる。
【００３５】
また、本形態において、受光器４は、受光器４よりも外形寸法の大きな固定部材５に固定された状態で装置フレームに搭載されている。このため、治具９１、９２は、小さな受光器４を保持しなくても、大きな固定部材５を保持して回転させることができるので、角度位置の調整を容易に行うことができる。
【００３６】
さらに、固定部材５は、光軸側からみたときに外形の中心が第２の受光素子４２の中心位置と一致する対向辺５０１、５０２（回転中心位置規定部）を備えているので、対向辺５０１、５０２で固定部材５を保持した状態で固定部材５を回転させるだけで、第２の受光素子４２を通る軸線Ｃ２周りに受光器４を回転させることができる。従って、２つの戻り光ＬＲ１、ＬＲ２の傾きに合わせて２つの受光素子４１、４２の角度位置を容易に調整することができる。
【００３７】
さらにまた、本形態では、第２の受光素子４２を優先して位置決めしたため、第２の受光素子４２の方に高い位置精度を得ることができる。それ故、ＣＤと比較して記録密度の高いＤＶＤの情報記録、再生を正確に行うことができる。
【００３８】
（実施の形態１の変形例）
図４（Ａ）、（Ｂ）、（Ｃ）は、実施の形態１に係る光ヘッド装置における受光器の固定部材の別の例を示す平面図である。
【００３９】
実施の形態１では、固定部材５は、矩形の基板を用いたが、矩形の基板の代わりに、図４（Ａ）に示すように、矩形の４つの角部が直線的に切除された形状の固定部材５Ａ、図４（Ｂ）に示すように、矩形の短辺に相当する部分が円弧状に形成されて４つの角部が切除された形状の固定部材５Ｂ、図４（Ｃ）に示すように、矩形の４つの角部が円弧状に凹むように切除された形状の固定部材５Ｃを用いてもよい。
【００４０】
このように構成すると、固定部材５Ａ、５Ｂ、５Ｃに対する外接円、すなわち、固定部材５Ａ、５Ｂ、５Ｃを回転させるのに必要な領域を狭くてよい。それ故、固定部材５Ａ、５Ｂ、５Ｃを回転させる作業を容易に行うことができ、かつ、固定部材５Ａ、５Ｂ、５Ｃを広い角度範囲にわたって回転させることができる。
【００４１】
また、固定部材５Ａ、５Ｂ、５Ｃはいずれも、対向辺など、外形の中心が第２の受光素子４２の中心位置と一致する回転中心位置規定部を備えているので、回転中心位置規定部で固定部材５Ａ、５Ｂ、５Ｃを保持した状態で固定部材５Ａ、５Ｂ、５Ｃを回転させるだけで、第２の受光素子４２を通る軸線Ｃ２周りに受光器４を回転させることができる。
【００４２】
［実施の形態２］
実施の形態１では、固定部材５の中心を受光器４の第２の受光素子４２に一致させたが、以下に説明するように、中心を第１の受光素子４１に一致させてもよい。また、実施の形態１では、固定部材が装置フレームに直接、搭載される構成であったが、以下に説明するように、固定部材は、支持部材を介して装置フレームに搭載される構成を採用してもよい。
【００４３】
図５（Ａ）、（Ｂ）はそれぞれ、本発明の実施の形態２に係る受光器４の固定状態を示す平面図および分解斜視図である。なお、以下に示す実施の形態２は、基本的な構成が実施の形態１と同様であるため、共通する部分については、それらの説明を省略する。
【００４４】
図５（Ａ）、（Ｂ）に示すように、受光器４が固定された固定部材５Ｄは、受光器４よりも大きな円盤部分５５と、この円盤部分５５から裏面側に向けて同軸状に突き出た円柱部分５６とを有しており、受光器４は、円盤部分５５に搭載されている。
【００４５】
本形態では、円盤部分５５の中心位置に第１の受光素子４１のメイン受光領域４１１が位置するように、受光器４が配置されている。このため、固定部材５の円柱部分５６は、光軸側からみたときに外形の中心が第１の受光素子４１の中心位置（メイン受光領域４１１の中心位置）と一致する円周面５７を回転中心位置規定部として備えているので、円周面５７で固定部材５Ｄを治具（図示せず）で保持した状態で、矢印Ｒで示すように、固定部材５Ｄを回転させるだけで、第１の受光素子４１の中心を通る軸線Ｃ１周りに受光器４を回転させることができる。
【００４６】
ここで、固定部材５Ｄは、矩形の支持板７に搭載された状態で装置フレーム６の取付け面６１に搭載される。この支持板７には、固定部材５の円盤部分５５が嵌る円形開口７１が形成されている。
【００４７】
このように構成された光ヘッド装置１において、装置フレーム６に対して受光器４を搭載する際には、まず、受光器４が搭載された固定部材５Ｄの円盤部分５５を支持板７の円形開口７１に嵌め、この状態で、円柱部分５６の円周面５７を治具で保持し、この状態で、治具をＸ方向、Ｙ方向およびＺ方向に移動させて、第１の戻り光ＬＲ１の光軸と第１の受光素子４１のメイン受光領域４１１の中心位置とを一致させる。そして、支持板７を装置フレーム６の取付け面６１に接着固定する。
【００４８】
次に、円柱部分５６の円周面５７を治具で保持した状態のまま、治具を回転させると、固定部材５Ｄは、第１の受光素子４１のメイン受光領域４１１の中心を通る軸線Ｃ１周りに回転するので、第２の戻り光ＬＲ２の光軸と、第２の受光素子４２の中心位置とを一致させることができる。
【００４９】
このようにして受光器４の位置や傾きを調整した後、固定部材５を支持板７に接着固定する。
【００５０】
このように、本形態の光ヘッド装置１およびその製造方法では、第１の戻り光ＬＲ１の光軸と第１の受光素子４１のメイン受光領域４１１の中心位置とを一致させた状態で、このメイン受光領域４１１の中心を通る軸線Ｃ１周りに回転させて、第２の戻り光ＬＲ２の光軸と、第２の受光素子４２の中心位置とを一致させる。従って、２つの戻り光ＬＲ１、ＬＲ２の傾きに合わせて２つの受光素子４１、４２の角度位置を調整することができ、回折格子を用いて傾きを補正する必要がない。また、第１の戻り光ＬＲ１の光軸に第１の受光素子４１のメイン受光領域４１１の位置を合わせた状態で、このメイン受光領域４１１の中心を通る軸線Ｃ１周りに受光器４を回転させて第２の戻り光ＬＲ２の光軸に第２の受光素子４２の位置を合わせるので、受光器４を回転させる際、折角、位置調整を済ませておいた第１の戻り光ＬＲ１の光軸と第１の受光素子４１との位置がずれることもない。それ故、２つの戻り光ＬＲ１、ＬＲ２の傾きに合わせて２つの受光素子４１、４２の角度位置を容易に調整することができる。
【００５１】
また、本形態において、受光器４は、受光器４よりも外形寸法の大きな固定部材５Ｄに固定されている。このため、治具は、小さな受光器４を保持しなくても、大きな固定部材５Ｄを保持して回転させることができるので、角度位置の調整を容易に行うことができる。
【００５２】
さらに、固定部材５Ｄは、光軸側からみたときに外形の中心が第１の受光素子４１のメイン受光領域４１１の中心位置と一致する円周面５７を（回転中心位置規定部）を備えているので、円周面５７で固定部材５Ｄを保持した状態で受光器４を回転させるだけで、第１の受光素子４１のメイン受光領域４１１の中心を通る軸線Ｃ１周りに受光器４を回転させることができる。従って、２つの戻り光ＬＲ１、ＬＲ２の傾きに合わせて２つの受光素子４１、４２の角度位置を容易に調整することができる。
【００５３】
さらにまた、本形態では、第１の受光素子４１のメイン受光領域４１１を通る軸線Ｃ１周りに回転させるので、第２の受光素子４２の位置を合わせた際、第１の受光素子４１のサブ受光領域４１２、４１３の位置も自動的に合わせることができる。
【００５４】
また、固定部材５Ｄは、光軸側からみたとき最も大きな部分が円盤部分５５であるため、その回転スペースが狭いという利点がある。
【００５５】
【発明の効果】
以上説明したように、本発明の光ヘッド装置では、一方の戻り光の光軸と一方の受光素子との位置を合わせた状態で、一方の受光素子を通る軸線周りに受光器を回転させて他方の戻り光の光軸に他方の受光素子の位置を合わせるので、２つの戻り光の傾きに合わせて２つの受光素子の角度位置を調整することができ、回折格子を用いて傾きを補正する必要がない。また、一方の戻り光の光軸に一方の受光素子の位置を合わせた状態で一方の受光素子を通る軸線周りに受光器を回転させるので、受光器を回転させた際、一方の戻り光の光軸に対する一方の受光素子の位置がずれることがない。それ故、２つの戻り光の傾きに合わせて２つの受光素子の角度位置を容易に調整することができる。
【図面の簡単な説明】
【図１】本発明を適用した光ヘッド装置の光学系を示す概略構成図である。
【図２】本発明の実施の形態１に係る光ヘッド装置において、受光器の位置調整作業を示す説明図である。
【図３】図２に示す受光器の第１および第２の受光素子を示す説明図である。
【図４】（Ａ）、（Ｂ）、（Ｃ）は、実施の形態１に係る光ヘッド装置に使用可能な固定部材の変形例を示す平面図である。
【図５】（Ａ）および（Ｂ）は、本発明の実施の形態２に係る光ヘッド装置において、受光器の位置調整作業を示す説明図である。
【図６】（Ａ）、（Ｂ）、（Ｃ）は、従来の光ヘッド装置の概略構成図、受光器に収束するレーザ光を示す斜視図、およびレーザ光の発光点の傾きを示す説明図である。
【符号の説明】
１  光ヘッド装置
２  レーザ光源
３  共通の光学系
４  受光器
５、５Ａ、５Ｂ、５Ｃ、５Ｄ  固定部材
６  装置フレーム
７  支持板
２１  第１のレーザダイオードチップ
２２  第２のレーザダイオードチップ
３１  ３ビーム用回折格子
３２  ハーフミラー
３３  コリメートレンズ
３４  対物レンズ
４１  第１の受光素子
４２  第２の受光素子
４３  素子基板
Ｃ１、Ｃ２  回転中心軸線
５５  円盤部分
５６  円柱部分
４１１  メイン受光領域
４１２、４１３  サブ受光領域
Ｌ１  第１のレーザ光束
Ｌ２  第２のレーザ光束
ＬＲ１  第１の戻り光
ＬＲ２  第２の戻り光
【図１】
2004342186.tif 000003
【図２】
2004342186.tif 000004
【図３】
2004342186.tif 000005
【図４】
2004342186.tif 000006
【図５】
2004342186.tif 000007
【図６】
2004342186.tif 000008